(57)【特許請求の範囲】
【請求項１】
内容液を収容する容器の口部に装着されるとともに該内容液を注出する注出ノズルを有するキャップ本体と、該キャップ本体に着脱自在に保持されるとともに該注出ノズルから注出させた該内容液の計量を行う計量カップとを備える計量カップ付きキャップであって、
前記計量カップは、前記キャップ本体に設けた保持部に保持される被保持部と、該被保持部に連結するとともに該キャップ本体に取り付けた状態において前記注出ノズルを取り囲む周壁部と、該周壁部の一端部を閉鎖するとともに該周壁部との間で計量空間を形成する頂壁部と、該周壁部の他端部に該頂壁部に対向配置されると共に該計量空間に連通する孔が形成された隔壁と、を備え、該計量空間は該隔壁によって部分的に閉鎖されており、
該隔壁から該計量空間の外側に向けて突出するとともに該計量空間に収容した該内容液を外界に向けて導く樋部と、前記孔の縁部において該樋部に対向して設けられると共に、該周壁部の一端部に向けて伸延して該計量空間内まで延在するカバー部と、を備え、
前記樋部と前記カバー部とにより前記隔壁から突出するノズル状の注口が形成されており、
前記計量カップを前記キャップ本体に取り付けた状態において、前記カバー部と前記周壁部とに取り囲まれる空間に前記孔を介して前記注出ノズルが前記計量空間の内側に挿入される計量カップ付きキャップ。
【請求項２】
前記カバー部は、前記樋部に向けて湾曲してなる請求項１に記載の計量カップ付きキャップ。
【請求項３】
前記頂壁部は、前記周壁部の一端部から分離して設けられる一方、ヒンジ部を介して前記周壁部と一体に連結するものであり、且つ該ヒンジ部の折り曲げによって該周壁部に設けた連結部に係合することにより該周壁部の一端部が該頂壁部で閉鎖された状態に維持される被係合部を備える請求項１又は請求項２に記載の計量カップ付きキャップ。
【発明の詳細な説明】
【技術分野】
【０００１】
本発明は、内容液を収容する容器に装着されるキャップ本体と、キャップ本体に着脱自在に保持される計量カップとを備える計量カップ付きキャップに関する。
【背景技術】
【０００２】
例えば内容液として洗剤や柔軟剤を収容する容器にあっては、容器に装着されるキャップ本体と、キャップ本体に着脱可能に保持される計量カップとを備える計量カップ付きキャップが既知である（例えば特許文献１参照）。計量カップには、注ぎ込まれた内容液の量を示すマークが設けられていて、計量カップをキャップ本体から取り外した後、キャップ本体に設けた注出ノズルを計量カップに指向させつつこのマークを見ながら容器を傾けることにより、計量した内容液が計量カップ内に収容される。
【先行技術文献】
【特許文献】
【０００３】
【特許文献１】特開２００８−１６２６５６号公報
【発明の概要】
【発明が解決しようとする課題】
【０００４】
ところで計量した内容液を洗濯機等の注入口に注ぎ入れるにあたっては、計量カップの傾き加減によっては内容液が一気に注出されてしまい、注入口の周囲を汚してしまうことがある。特にこのような注入口は、開口面積が比較的狭く、また洗濯機等の奥に設けられていることが多いため、注入作業が行い難い状況にある。
【０００５】
本発明は、このような問題点を解決することを課題とするものであり、計量カップに収容した内容液を意図した位置へ正確に注出させることができ、また計量した内容液を注入口へ注ぐ作業が行いやすい計量カップ付きキャップを提供することを目的とする。
【課題を解決するための手段】
【０００６】
本発明は、内容液を収容する容器の口部に装着されるとともに該内容液を注出する注出ノズルを有するキャップ本体と、該キャップ本体に着脱自在に保持されるとともに該注出ノズルから注出させた該内容液の計量を行う計量カップとを備える計量カップ付きキャップであって、
前記計量カップは、前記キャップ本体に設けた保持部に保持される被保持部と、該被保持部に連結するとともに該キャップ本体に取り付けた状態において前記注出ノズルを取り囲む周壁部と、該周壁部の一端部を閉鎖するとともに該周壁部との間で計量空間を形成する頂壁部と、該周壁部の他端部に該頂壁部に対向配置されると共に該計量空間に連通する孔が形成された隔壁と、を備え、該計量空間は該隔壁によって部分的に閉鎖されており、
該隔壁から該計量空間の外側に向けて突出するとともに該計量空間に収容した該内容液を外界に向けて導く樋部と、前記孔の縁部において該樋部に対向して設けられると共に、該周壁部の一端部に向けて伸延して該計量空間内まで延在するカバー部と、を備え、
前記樋部と前記カバー部とにより前記隔壁から突出するノズル状の注口が形成されており、
前記計量カップを前記キャップ本体に取り付けた状態において、前記カバー部と前記周壁部とに取り囲まれる空間に前記孔を介して前記注出ノズルが前記計量空間の内側に挿入される計量カップ付きキャップである。
【０００８】
前記カバー部は、前記樋部に向けて湾曲してなることが好ましい。
【０００９】
前記頂壁部は、前記周壁部の一端部から分離して設けられる一方、ヒンジ部を介して前記周壁部と一体に連結するものであり、且つ該ヒンジ部の折り曲げによって該周壁部に設けた連結部に係合することにより該周壁部の一端部が該頂壁部で閉鎖された状態に維持される被係合部を備えることが好ましい。
【発明の効果】
【００１０】
本発明の計量カップ付きキャップにおいて、計量カップは、周壁部の一端部を閉鎖するとともに周壁部との間で計量空間を形成する頂壁部と、周壁部の他端部から計量空間の外側に向けて突出するとともに計量空間に収容した該内容液を外界に向けて導く樋部と、樋部に対向して設けられるカバー部とを備えている。すなわち、計量カップを傾けると、計量空間の内容液は樋部を伝って注出されるため、内容液を意図した位置へ正確に注出させることができる。更に樋部に対向してカバー部を設けているため、樋部の脇から内容液が溢れることはない。
【００１１】
カバー部が周壁部の一端部に向けて伸延して計量空間内まで延在する場合は、内容液を周壁部とカバー部との間に溜めることができるので、内容液がカバー部を越えて流れ出ることが起きにくくなる。
【００１２】
カバー部が樋部に向けて湾曲する場合は、計量カップ内の内容液がカバー部の表面側に流れ込むことがあっても、内容液はカバー部の湾曲面に沿って流れることになる。このため、意図した位置以外のところに内容液が溢れてしまう不具合を有効に防止することができる。
【００１３】
計量カップに樋部とカバー部を設けるにあたっては、金型構成上、計量カップは２つの部材に分けて構成することが一般的である。ここで、頂壁部が、周壁部の一端部から分離して設けられる一方、ヒンジ部を介して周壁部と一体に連結するものであり、且つヒンジ部の折り曲げによって周壁部に設けた連結部に係合することにより周壁部の一端部が頂壁部で閉鎖された状態に維持される被係合部を備える場合は、計量カップを１つの部材で構成することができるため、コスト削減を図ることができる。
【図面の簡単な説明】
【００１４】
【図１】本発明に従う計量カップ付きキャップの一実施形態につき、これを容器に装着した状態で示す側面視での断面図である。
【図２】（ａ）は図１に示すＡ−Ａに沿う断面図であり、（ｂ）は計量カップの斜視図である。
【図３】（ａ）は容器の内容液を計量カップで計量する状況を説明する図であり、（ｂ）は計量カップ内の内容液を洗濯機等の注入口に注出する状況を説明する図である。
【図４】本発明に従う計量カップ付きキャップの他の実施形態につき、これを容器に装着した状態で示す側面視での断面図である。
【発明を実施するための形態】
【００１５】
以下、図面を参照して、本発明に従う計量カップ付きキャップの一実施形態について説明する。なお、本明細書における上下の関係は、容器が水平面に置かれた状態（正立姿勢）での位置関係をいう（図１において、符号２を付したキャップ本体が位置する側が「下」であり、符号４（３）を付した計量カップ本体が位置する側が「上」である）。
【００１６】
図１において符号１は、本発明に従う計量カップ付きキャップの一実施形態を示す。計量カップ付きキャップ１は、容器１０に装着されるものであり、キャップ本体２と計量カップ３とを備えている。本実施形態における計量カップ３は、計量カップ本体４と注出部材５とで構成されている。
【００１７】
まず、容器１０について説明する。容器１０は、内容液を収容する胴体１０ａに円筒状の口部１０ｂを設けたものであり、口部１０ｂの外周面には雄ねじ部（第一雄ねじ部）１０ｃが設けられている。なお、胴体１０ａは有底筒状をなすものであるが、図１では胴体１０ａの下部は省略して示している。口部１０ｂの根元には、凸部１０ｄが設けられている。凸部１０ｄは、周方向に間隔をあけて複数設けられている。なお、凸部１０ｄの作用については後述する。
【００１８】
キャップ本体２は、口部１２の外側を取り囲む外周壁２ａを備えている。外周壁２ａの内周面には、雄ねじ部１０ｃに対応する雌ねじ部（第一雌ねじ部）２ｂが設けられている。また外周壁２ａの下端部には、環状の凹部２ｃが設けられていて、凹部２ｃには突起２ｄが設けられている。突起２ｄは、雄ねじ部１０ｃと雌ねじ部２ｂとをねじ係合させた際に、間隔をあけて設けられる凸部１０ｄの相互間に嵌まり込んで、容器１０に対してキャップ本体２を回り止め保持する機能を有する。
【００１９】
また外周壁２ａの上部には、内側環状壁２ｅが設けられていて、内側環状壁２ｅの外周面には雄ねじ部（第二雄ねじ部）２ｆが設けられている。なお、内側環状壁２ｅ及び雄ねじ部２ｆの組み合わせは、本明細書では保持部とも称する。
【００２０】
内側環状壁２ｅの径方向内側には、容器１０の内側へ入り込む底部２ｇが設けられている。底部２ｇは、中心軸線Ｏを挟んで一方側（図１では左側）が他方側（図１では右側）よりも高さが高くなるように傾斜している。また底部２ｇの中央部には、円形状の貫通孔２ｈが設けられていて、貫通孔２ｈの縁部には上方に向けて縮径しながら延在する注出ノズル２ｊが設けられている。注出ノズル２ｊは、縦方向に延びるスリット２ｋによって切り欠かれている。またスリット２ｋは底部２ｇの一部も切り欠いている。
【００２１】
計量カップ本体４は、内側環状壁２ｅを取り囲む外側環状壁４ａを備えている。外側環状壁４ａの内周面には、雄ねじ部２ｆに対応する雌ねじ部（第二雌ねじ部）４ｂが設けられている。外側環状壁４ａの上端部には径方向内側に向けて延在するフランジ部４ｃが設けられていて、フランジ部４ｃの下面には内側環状壁２ｅの内周面に液密に当接するシール壁４ｄが設けられている。なお、外側環状壁４ａ、雌ねじ部４ｂ、及びフランジ部４ｃの組み合わせは、本明細書では被保持部とも称する。
【００２２】
フランジ部４ｃの径方向内側には、注出ノズル２ｊを取り囲む円筒状の周壁部４ｅが設けられている。周壁部４ｅの上端部（周壁部４ｅの一端部）には円板状の頂壁部４ｆが一体に設けられている。周壁部４ｅと頂壁部４ｆとで区画される内側には、内容液を計量するための計量空間Ｋが形成される。なお、図２（ｂ）に示すように周壁部４ｅは、計量空間Ｋ内に収容された内容液を計量するためのマークＭを備えている。
【００２３】
注出部材５は、周壁部４ｅの下端部（周壁部４ｅの他端部）に嵌合保持される環状の嵌合壁５ａを備えている。嵌合壁５ａには、図２（ａ）、（ｂ）に示すように水平方向に延在するとともに半円状の孔５ｂを有する隔壁５ｃが設けられている。隔壁５ｃには、計量空間Ｋの外側に向けて突出するとともに横断面形状がＵ字状になる樋部５ｄが設けられている。更に隔壁５ｃは、樋部５ｄに対向して設けられるカバー部５ｅを備えている。本実施形態のカバー部５ｅは、図１に示すように周壁部４ｅの上端部に向けて伸延しており、計量空間Ｋ内まで延在している。またカバー部５ｅは、図２（ｂ）に示すように樋部５ｄに向けて湾曲している。なおカバー部５ｅは、注出ノズル２ｊよりも外側に設けられていて、且つ注出ノズル２ｊよりも大きな径で湾曲しているので、図１に示すように計量カップ本体４がキャップ本体２に取り付けられた状態にあっても注出ノズル２ｊと干渉することはない。
【００２４】
このような計量カップ付きキャップ１を用いて内容液を計量するには、図３（ａ）に示すように計量カップ本体４をキャップ本体２から取り外して上下逆さまにする。そして孔５ｂに向けて注出ノズル２ｊを指向させつつ容器１０を傾けることによって、内容液を注出ノズル２ｊから注出させる。そして、所定の量を示すマークＭに液面が達するまで注出させることで、内容液を計量することができる。なお、孔５ｂの縁部にはカバー部５ｅが設けられているため、カバー部５ｅに向けて注出ノズル２ｊを指向させれば、注出ノズル２ｊから注出させた内容液は、カバー部５ｅを伝って計量空間Ｋに収容される。すなわち、孔５ｂだけでなくカバー部５ｅに向けて注出させても内容液を計量することができるため、作業性がよくなる。
【００２５】
そして計量空間Ｋに収容した内容液を洗濯機等の注出口Ｔに注出するには、図３（ｂ）に示すように樋部５ｄが注出口Ｔへ指向するようにして計量カップ本体４を傾ける。これにより計量空間Ｋの内容液は、樋部５ｄを伝って注出口Ｔに注がれる。また樋部５ｄはカバー部５ｅで覆われているため、樋部５ｄの脇から内容物が溢れることはない。
【００２６】
なお、本実施形態のカバー部５ｅは計量空間Ｋ内まで延在しているため、図３（ｂ）に示すように内容液を周壁部４ｅとカバー部５ｅとの間に溜めることができる。このため、内容液がカバー部５ｅを越えて流れ出ることが起きにくくなる。なお、カバー部５ｅは樋部５ｄに向けて湾曲しているので、カバー部５ｅを越えて内容液が流れ出すことがあっても、内容液はカバー部５ｅに沿って流れることになる。このため、注出口Ｔ以外の部位に内容液が溢れてしまう不具合を有効に防止することができる。
【００２７】
次に本発明に従う計量カップ付きキャップの他の実施形態について、図４を参照しながら説明する。なお、前述の実施形態と同一の機能を有する部分は、図面中に同一の符号を付して説明を省略する。
【００２８】
図４に示す計量カップ付きキャップ１１は、前述の容器１０に装着されるものであって、キャップ本体２と計量カップ１３とを備えている。
【００２９】
計量カップ１３は、前述の外側環状壁４ａ、雌ねじ部（第二雌ねじ部）４ｂ、フランジ部４ｃ、シール壁４ｄと同様の構成になる外側環状壁１３ａ、雌ねじ部（第二雌ねじ部）１３ｂ、フランジ部１３ｃ、シール壁１３ｄを備えている。また、注出ノズル２ｊの外側には円筒状の周壁部１３ｅが設けられている。そして周壁部１３ｅの外周面には、仮想線で示すようにヒンジ部ｈを介して頂壁部１３ｆが一体に設けられている。また計量カップ１３は、周壁部１３ｅの下端部（周壁部１３ｅの他端部）において、前述の孔５ｂ、隔壁５ｃ、樋部５ｄ、カバー部５ｅに対応する孔１３ｇ、隔壁１３ｈ、樋部１３ｊ、カバー部１３ｋを備えている。
【００３０】
ところで計量カップ１３を金型で成形する場合、頂壁部１３ｆは、図４に仮想線で示すように周壁部１３ｅの上端部（周壁部１３ｅの一端部）から分離した状態にある。すなわち、周壁部１３ｅの上端部は開放しているため、計量カップ１３は、樋部１３ｊ及びカバー部１３ｋを含めて１つの部材として形成することができる。
【００３１】
なお、周壁部１３ｅは、その上端部において凹状の連結部１３ｅ１を備えていて、頂壁部１３ｆは、連結部１３ｅ１に対応する爪状の被連結部１３ｆ１を備えている。そしてヒンジ部ｈで折り曲げることによって、連結部１３ｅ１と被連結部１３ｆ１とが係合し、周壁部１３ｅの上端部は頂壁部１３ｆで閉鎖された状態で維持される。すなわち、前述の計量カップ本体４及び注出部材５と同様に、計量カップ１３においても周壁部１３ｅと頂壁部１３ｆの内側に計量空間Ｋが区画形成される。なお、計量カップ１３も、前述の計量カップ本体４及び注出部材５と同様に使用することができる。
【００３２】
本発明の計量カップ付きキャップは、これまでに述べた実施形態に限定されるものではなく、種々の変更を含むものである。例えばキャップ本体は、容器に対してねじで装着されるのみならず、アンダーカットを用いて装着されるようにしてもよい。
【符号の説明】
【００３３】
１：計量カップ付きキャップ
２：キャップ本体
２ａ：外周壁
２ｂ：雌ねじ部
２ｃ：凹部
２ｄ：突起
２ｅ：内側環状壁（保持部）
２ｆ：雄ねじ部（保持部）
２ｇ：底部
２ｈ：貫通孔
２ｊ：注出ノズル
２ｋ：スリット
３：計量カップ
４：計量カップ本体
４ａ：外側環状壁（被保持部）
４ｂ：雌ねじ部（被保持部）
４ｃ：フランジ部（被保持部）
４ｄ：シール壁
４ｅ：周壁部
４ｆ：頂壁部
５：注出部材
５ａ：嵌合壁
５ｂ：孔
５ｃ：隔壁
５ｄ：樋部
５ｅ：カバー部
１０：容器
１０ａ：胴体
１０ｂ：口部
１０ｃ：雄ねじ部
１０ｄ：凸部
１１：計量カップ付きキャップ
１２：口部
１３：計量カップ
１３ａ：外側環状壁（被保持部）
１３ｂ：雌ねじ部（被保持部）
１３ｃ：フランジ部（被保持部）
１３ｄ：シール壁
１３ｅ：周壁部
１３ｅ１：連結部
１３ｆ：頂壁部
１３ｆ１：被連結部
１３ｇ：孔
１３ｈ：隔壁
１３ｊ：樋部
１３ｋ：カバー部
Ｋ：計量空間
ｈ：ヒンジ部
【図１】
0006693787.tif 000002
【図２】
0006693787.tif 000003
【図３】
0006693787.tif 000004
【図４】
0006693787.tif 000005